Podtech/llm-jp-corpus-v4-ja_patent huggingface dataset:
(57)【要約】      （修正有）【課題】積み落とした葡萄の粒を複数種類集めて効果的に販売するパッケージを提供する。【解決手段】２種類以上の葡萄から得られる複数の葡萄の粒と、葡萄の粒を所定の配置で、外部から観察可能な状態に保持する包装体とから構成される葡萄の販売用パッケージであり、包装体は、葡萄の粒を直接包む透明なシートからなる合成樹脂性の第１シートと、葡萄の粒を包んだ第１シートを包む網目を有するシートからなる第２シートとから構成される。【選択図】図１
0003117703.tif 000002
【実用新案登録請求の範囲】
【請求項１】
２種類以上の葡萄から得られる複数の葡萄の粒と、
前記葡萄の粒を所定の配置で、外部から観察可能な状態に保持する包装体と
から構成される葡萄の販売用パッケージ。
【請求項２】
前記包装体は、
葡萄の粒を直接包む透明なシートからなる合成樹脂性の第１シートと、
この第１シートを包む網目を有するシートからなる第２シートと
から構成される請求項１に記載の葡萄の販売用パッケージ。
【考案の詳細な説明】
【技術分野】
【０００１】
本考案は、葡萄を梱包し販売するためのパッケージに関する。
【背景技術】
【０００２】
現在、葡萄を販売する際には、葡萄の房をダンボールの箱に詰めたり、透明な合成樹脂ケースに入れることが一般的である。この際、彩りや見た目の変化を加えることを目的として、２種類の葡萄の房を一つのパッケージに詰めて販売することも行われる。
【考案の開示】
【考案が解決しようとする課題】
【０００３】
ところで、葡萄は粒が房から落ちやすいため、房をパッケージに詰める際にいくつかの粒が房から落ちてしまうことが多い。この落ちた粒は、パッケージには入れることができないので、廃棄したり、ジュースなどの加工品に用いられることとなる。しかし、葡萄の粒は房から落ちても粒自体が変質するわけではなく、高級ブランドの葡萄の場合は著しく価値が落ちてしまうという結果になる。一方、葡萄には種々の種類があり、彩りや大きさの様々であることから、このような複数種類の落ちた葡萄の粒を集めると種々の彩りや大きさを持つ粒が混在し、好ましい視覚的効果を購買者に与えることができると考えられる。
本考案は、かかる事情に鑑みて、積み落とした葡萄の粒を複数種類集めて効果的に販売するパッケージを提供することを課題とする。
【課題を解決するための手段】
【０００４】
上記課題を解決するために、本考案は次のような構成を有する。
請求項１に記載の考案は、２種類以上の葡萄から得られる複数の葡萄の粒と、前記葡萄の粒を所定の配置で、外部から観察可能な状態に保持する包装体とから構成される葡萄の販売用パッケージである。
請求項２に記載の考案は、前記葡萄の販売用パッケージにおいて、前記包装体は、葡萄の粒を直接包む透明なシートからなる合成樹脂性の第１シートと、葡萄の粒を包んだ前記第１シートを包む網目を有するシートからなる第２シートとから構成される請求項１に記載の葡萄の販売用パッケージである。
【考案の効果】
【０００５】
請求項１に記載の考案は、異なる種類の葡萄の粒を販売者が望む配置で保持し、この状態を外部から観察できるように包装するので、パッケージを見る購買者を視覚的に楽しませることができ、購買意欲を高めることに資する。
請求項２に記載の考案は、合成樹脂性の第１シートにより葡萄の粒を包むことにより、葡萄の粒の水分をパッケージ内に封じ込めることができ、また、網目を有する第２シートにより葡萄を包む第１シートを包むことにより、網目を通して透明な第１シート内の異なる種類の葡萄の粒の配置を観察させることで、合成樹脂性の第１シートを直接購買者の目に晒すことなく、網目による視覚的効果を付与することができる。
【考案を実施するための最良の形態】
【０００６】
以下、本考案の実施形態について、図を参照しながら説明する。図１に本実施形態に係る葡萄の販売用パッケージＸを示す。葡萄の販売用パッケージＸは、３種類の葡萄から得られる複数の葡萄の粒１０ａ、１０ｂ、１０ｃと、第１シート２０、第２シート３０とから構成される。葡萄の粒を構成する葡萄は色や大きさの異なるものが選ばれている。また、第１シート２０は正方形状の透明な合成樹脂により形成されるシートであり、第２シート３０は正方形状の網目により模様が描かれた和紙により形成されるシートである。
この葡萄の販売用パッケージＸを構成するためには、まず、第１シート２０を広げて、その上に葡萄の粒１０ａ、１０ｂ、１０ｃを、ここでは同じ種類の粒ができるだけ隣接しないように積み上げる。そして、第１シート２０の角を持ち上げて上方で合わせて袋状にし、積み上げた葡萄の粒１０ａ、１０ｂ、１０ｃを第１シート２０により形成されるこの袋内に保持する。この状態で、上方を絞ってリボン２１により縛ることで、図２に示すような状態とする。この状態となったら、さらに、第２シート３０により第１シート２０により形成される袋を外側から包み、角部を合わせて上部を絞りリボン３０により縛ることで図１に示す葡萄の販売用パッケージＸを構成することができる。
葡萄販売用パッケージＸはこのまま店頭などで販売してもよく、さらに、箱詰めで販売してもよい。
【０００７】
なお、上記実施形態では葡萄の種類を３種類としているが、葡萄の種類はこれに限られず、２種以上であれば足りる。また、上記実施形態では、葡萄の粒１０ａ、１０ｂ、１０ｃは同じ種類の粒ができるだけ隣接しないように積み上げる事で配置したが、これは例示であり、逆に同じ種類のものを集中させるように配置してもよい。
【図面の簡単な説明】
【０００８】
【図１】実施形態に係る葡萄の販売用パッケージの正面図である。
【図２】葡萄の粒を第１シートにより包んだ状態を示す正面図である。
【符号の説明】
【０００９】
Ｘ  葡萄の販売用パッケージ
１０ａ、１０ｂ、１０ｃ  葡萄の粒
２０  第１シート
３０  第２シート
２１、３１  リボン
【図１】
0003117703.tif 000003
【図２】
0003117703.tif 000004
(57)【要約】【課題】帽子に付けたり外したりでき、しかも日光の遮蔽効果が高い首筋遮蔽布を提供する。【解決手段】遮蔽布本体２と、遮蔽布本体２を帽子Ｃに引掛けるための紐３とからなる。遮蔽布本体２は、ほぼ四角形であり、首筋の後面と左右両側面を覆える面積を有している。遮蔽布本体２の上端縁には紐３を通す袋状部分１１を備えており、紐３は伸縮性を有している。遮蔽布本体２を帽子Ｃに付けると首筋も顔の横も日光から遮蔽することができ、日焼けを防止しうる。また不要なときは取外せ、必要なときのみ付ければよい。【選択図】図１
0003117719.tif 000002
【実用新案登録請求の範囲】
【請求項１】
遮蔽布本体と、
該遮蔽布本体を帽子に引掛けるための紐とからなる
ことを特徴とする首筋遮蔽布。
【請求項２】
前記遮蔽布本体は、ほぼ四角形であり、首筋の後面と左右両側面を覆える面積を有している
ことを特徴とする請求項１記載の首筋遮蔽布。
【請求項３】
前記遮蔽布本体は、その上端縁に前記紐を通す袋状部分を備えており、
前記紐は前記袋状部分に通された伸縮性の紐である
ことを特徴とする請求項２記載の首筋遮蔽布。
【考案の詳細な説明】
【技術分野】
【０００１】
本考案は、首筋遮蔽布に関する。さらに詳しくは、帽子に取付けて人の首筋や顔の両側面を日光から遮蔽する首筋遮蔽布に関する。
【背景技術】
【０００２】
人の首筋を日光から遮蔽する技術に関しては、つぎの従来技術がある。
（１）従来例１
帽子の後ろに日よけカバーを付けている。
（２）従来例２
サンバイザーに日除け垂れを取付けている。
（３）従来例３
帽子の後ろに日除け垂れを取付けている。
【０００３】
上記の日よけカバーや日除け垂れ等は首すじに日の当るのを防止するものであるが、帽子やサンバイザーに一体に取付けたものであるため、帽子単独で使用したいときには、日よけカバー等は邪魔になるだけである。また、日よけカバー等は一体であると重くならないようにするため、小さくしており、そのため日焼け防止効果は、さほど高くない。
【０００４】
【特許文献１】実用登録第３０８３４７０号
【特許文献２】実用登録第３１０９５９７号
【特許文献３】実用登録第３１１０９４０号
【考案の開示】
【考案が解決しようとする課題】
【０００５】
本考案は上記事情に鑑み、帽子に付けたり外したりでき、しかも日光の遮蔽効果が高い首筋遮蔽布を提供することを目的とする。
【課題を解決するための手段】
【０００６】
第１考案の首筋遮蔽布は、遮蔽布本体と、該遮蔽布本体を帽子に引掛けるための紐とからなることを特徴とする。
第２考案の首筋遮蔽布は、前記遮蔽布本体は、ほぼ四角形であり、首筋の後面と左右両側面を覆える面積を有していることを特徴とする。
第３考案の首筋遮蔽布は、前記遮蔽布本体は、その上端縁に前記紐を通す袋状部分を備えており、前記紐は前記袋状部分に通された伸縮性の紐であることを特徴とする。
【考案の効果】
【０００７】
第１考案によれば、遮蔽布本体を帽子に付けると首筋を日光から遮蔽することができ、日焼けを防止しうる。また不要なときは取外せ、必要なときのみ付ければよいので、使用に便利である。
第２考案によれば、遮蔽布本体は、形状が四角形であるため首筋の後面から左右両側面を覆いやすく、かつ覆うために必要な面積を有しているので、首筋と顔の横も日焼けを防止しうる。
第３考案によれば、紐が遮蔽布本体の上端縁の袋状部分を通っていることで、紐を帽子に取付けると遮蔽布本体がズレ落ちることはなく、紐は伸縮性を有しているので、しっかりと帽子に取付けることができる。
【考案を実施するための最良の形態】
【０００８】
つぎに、本考案の実施形態を図面に基づき説明する。
図１は本考案の一実施形態に係る首筋遮蔽布の斜め前からみた外観図である。図２は図１の首筋遮蔽布を後方からみた外観図である。
【０００９】
本実施形態の首筋遮蔽布１は、遮蔽布本体２と、この遮蔽布本体２を帽子Ｃに引掛けるための紐３とからなる。
前記遮蔽布本体２は、ほぼ四角形であり、首筋の後面と左右両側面を覆える面積を有している。また、前記遮蔽布本体２は、その上端縁に前記紐３を通す袋状部分１１を備えている。そして、前記紐３は袋状部分１１に通された伸縮性の紐である。
【００１０】
図１および図２に示すように、紐３を帽子の周りに引掛けて、紐３を公知の止め具４で固定すると、遮蔽布本体２を帽子Ｃの後面から両側面にかけて垂れ下るように取付けることができる。
【００１１】
前記遮蔽布本体２の素材としては、紫外線を遮蔽しやすい機能をもっていることが好ましく、そのような素材なら公知のものを任意に使用できる。また、前記紐３としては、伸縮性を有するゴムなどを主材料とするものを用いればよい。
【００１２】
上記実施形態によれば、遮蔽布本体２は、形状が四角形であるため首筋の後面から左右両側面を覆いやすく、かつ覆うために必要な面積を有しているので、首筋も顔の横も日焼けを防止しうる。また、紐３が遮蔽布本体２の上端縁の袋状部分１１を通っていることで、紐３を帽子Ｃに取付けると遮蔽布本体２がズレ落ちることはなく、紐３は伸縮性を有しているので、しっかりと帽子Ｃに取付けることができる。
【００１３】
図１は野球帽Ｃに本考案の首筋遮蔽布１を取付けた図であり、図３は鍔付き帽子に首筋遮蔽布１を取付けた図であり、図４はサンバイザーに首筋遮蔽布１を取付けた図である。
このように、本考案の首筋遮蔽布１は、どのようなタイプの帽子にでも適用して取付けることができる。
【図面の簡単な説明】
【００１４】
【図１】本考案の一実施形態に係る首筋遮蔽布の斜め前からみた外観図である。
【図２】図１の首筋遮蔽布を後方からみた外観図である。
【図３】鍔付き帽子に首筋遮蔽布を取付けた図である。
【図４】サンバイザーに首筋遮蔽布を取付けた図である。
【符号の説明】
【００１５】
１  首筋遮蔽布
２  遮蔽布本体
３  紐
【図１】
0003117719.tif 000003
【図２】
0003117719.tif 000004
【図３】
0003117719.tif 000005
【図４】
0003117719.tif 000006
(57)【要約】【課題】発熱による低温やけどのような不具合が生じない磁場発生器を提供する。【解決手段】磁場発生用のコイル１０を内蔵した箱体１ｃと、箱体１ｃに形成された吸気孔１３および排気孔１４と、箱体１ｃの内部に設けられたファン１１と、ファン１１からの排気熱を外部へ誘導する排気ガイド１２とを有する。ファン１１を回転させると、吸気孔１３から外部の冷気が入り、排気ガイド１２を通じて排気孔１４からコイル１０で発生した熱を含む空気を外部に排出するので、箱体１ｃ内は常時冷却される。このため、箱体１ｃが熱を持たず、使用中に人に低温やけどをさせる事故を防止しうる。【選択図】図１
0003117717.tif 000002
【実用新案登録請求の範囲】
【請求項１】
磁場発生用のコイルを内蔵した箱体と、
該箱体に形成された吸気孔および排気孔と、
該箱体の内部に設けられたファンと、
該ファンからの排気熱を外部へ誘導する排気ガイドとを有する
ことを特徴とする磁場発生器。
【考案の詳細な説明】
【技術分野】
【０００１】
本考案は、磁場発生器に関する。さらに詳しくは、磁力によって血行を良くし、人の健康増進などに用いられる磁場発生器に関する。
【背景技術】
【０００２】
従来より健康器具としての磁気治療器はベッドに多数の磁場発生器を取付けた大形のものから、数個の磁場発生器を屈曲可能に連結しただけの小形のものまで、様々なタイプのものがある。後者の小形の磁気治療器としては特許文献１に記載のものがある。
この磁気治療器101は、図４に示すように、複数個の磁場発生器111を互いに連結して本体を構成し、それに電源コード102とスイッチを備えた電源回路103とからなるものである。磁場発生器111自体はプラスチック製などの箱体とそれに入れられたコイル等からなり、交流磁界を発生する機能を有している。
【０００３】
ところが、従来の交流型の磁場発生器は、手の平大の箱体の中にコイルや配線等の磁場を発生させる機能部品を詰め込み、箱体には、特別の排気手段は備えられていない。このため、使用中のコイルに熱が発生すると逃げ場が無いため、熱が箱体内にこもり、その熱が人体に伝わって、低温やけどをするという問題があった。
【０００４】
【特許文献１】特開２００３‐２２２６６１号公報
【考案の開示】
【考案が解決しようとする課題】
【０００５】
本考案は、かかる事情に鑑み、発熱による低温やけどのような不具合が生じない磁場発生器を提供することを目的とする。
【課題を解決するための手段】
【０００６】
第１考案の磁場発生器は、磁場発生用のコイルを内蔵した箱体と、該箱体に形成された吸気孔および排気孔と、該箱体の内部に設けられたファンと、該ファンからの排気熱を外部へ誘導する排気ガイドとを有することを特徴とする。
【考案の効果】
【０００７】
第１考案によれば、ファンを回転させると、吸気孔から外部の冷気が入り、排気ガイドからコイルで発生した熱を含む空気を導いて排気孔より外部に排出するので、箱体内は常時冷却される。このため、箱体が熱を持たず、使用中に人に低温やけどをさせる事故を防止しうる。
【考案を実施するための最良の形態】
【０００８】
つぎに、本考案の実施形態を図面に基づき説明する。
図１〜図３において、１は磁場発生器であり、１ｃはこの磁場発生器１を構成する箱体である。
箱体１ｃは、底板２と天板３と４枚の側板４，５，６，７とから立方体に構成されている。なお、底板２は人体に当てる側の治療面である。
【０００９】
前記箱体１ｃの内部には、コイル１０などの交流磁界を発生させるための機能部品が入れられている。なお、コイル１０以外にも配線などの部分も入っているが、図示は省略されている。
また、この実施形態では２個一組のコイル１０が４セット用いられているが、３セット以下のものも、５セット以上のものも、本考案に含まれる。
【００１０】
前記箱体１ｃの底板２の中央には、吸排気用のファン１１が取付けられている。このファン１１は、コイル１０と共通の電源で回転駆動される。そして、このファン１１には排気ガイド１２が接続されている。排気ガイド１２の基端部はファン１１に密着して接合しており、排気ガイド１２の先端は、一方の側板５に形成された排気孔１４から外部に臨んでいる。
【００１１】
一方、箱体１ｃの他方の側板４には、吸気孔１３が形成されている。この吸気孔１３は１個の大き目の孔でもよく、複数個の小さ目の孔であってもよい。
また、図示の例では、吸気孔１３は側板４のみであるが、他の側板５，６，７に設けてもよい。
要は、吸気の流れができるだけ多くのコイル１０に接触すればよいのである。
【００１２】
上記の実施形態では、ファン１１を回転させると、吸気孔１３から外部の冷気が入り、コイル１０まわりを冷却する。また、それでも発生した熱は、滞留することなく排気ガイド１２を通じて排気孔１４から外部に排出するので、箱体１ｃ内は常時一定以上に温度上昇しないよう維持される。このため、箱体１ｃの熱によって、使用中に人に低温やけどをさせる事故を防止しうる。
【産業上の利用可能性】
【００１３】
本考案はコイルを用いた磁気治療器に利用できる。
【図面の簡単な説明】
【００１４】
【図１】本発明の一実施形態に係る磁場発生器における天板を除いた平面図である。
【図２】同実施形態における側板を除いた側面図である。
【図３】図１におけるIII−III線矢視図である。
【図４】従来の磁気治療器の外観図である。
【符号の説明】
【００１５】
１            磁場発生器
１ｃ            箱体
２            底板
３            天板
４，５，６，７  側板
１０            コイル
１１            ファン
１２            排気ガイド
１３            吸気孔
１４            排気孔
【図１】
0003117717.tif 000003
【図２】
0003117717.tif 000004
【図３】
0003117717.tif 000005
【図４】
0003117717.tif 000006
(57)【要約】【課題】  水に入ってもスカートが容易に浮き上がらない水着および水着用スカートを提供する。【解決手段】  水着Mのウエスト部以下を覆うスカートを備え、スカートは、複数の垂れ１〜３から成る暖簾状に構成し、かつ、隣り合う垂れ１〜３の端部が互いに重なるように配置した。【選択図】  図２
0003117783.tif 000002
【実用新案登録請求の範囲】
【請求項１】
水着のウエスト部以下を覆うスカートを備えた水着であって、
前記スカートは、複数の垂れから成る暖簾状に構成し、かつ、隣り合う垂れの端部が互いに重なるように配置したことを特徴とする水着。
【請求項２】
水着のウエスト部以下を覆うスカートであって、
前記スカートは、複数の垂れから成る暖簾状に構成し、かつ、隣り合う垂れの端部が互いに重なるように配置したことを特徴とする水着用スカート。
【考案の詳細な説明】
【技術分野】
【０００１】
本考案は、水着および水着用スカートに係り、特に、気になるウエスト部以下を隠す水着および水着用スカートに関する。
【背景技術】
【０００２】
この種の水着としては、いわゆるＡラインのワンピースドレス型水着がある（Ａラインワンピース）。また、水着の上から付ける腰巻き風スカート（パレオ）がある。
【０００３】
しかし、水に入ると水圧を受け、スカートが容易に浮き上がってしまい、用をなさない不都合があった。
【０００４】
出願人は、この背景技術に関する公知技術文献の存在を知らない。
【考案の開示】
【考案が解決しようとする課題】
【０００５】
本考案は、かかる従来例の有する不都合を改善し、特に、水に入ってもスカートが容易に浮き上がらない水着および水着用スカートを提供することを課題とする。
【課題を解決するための手段】
【０００６】
上記課題を解決するため、本考案では、前記スカートを、複数の垂れから成る暖簾状に構成し、かつ、隣り合う垂れの端部が互いに重なるように配置する。
【考案の効果】
【０００７】
これによると、複数の垂れの合間において水抵抗を逃がすので、水に入ってもスカートが容易に浮き上がらないようになり、かつ、隣り合う垂れの端部を重ねることにより、隙間をなくし、気になるウエスト部以下をしっかり覆うことができる。
【考案を実施するための最良の形態】
【０００８】
以下、本考案の一実施形態を図面を参照しつつ説明する。本実施形態による水着は、外見的には図２に示すようになるが、この形態が構成される過程を、図１に基づいて説明する。
【０００９】
まず、水着Ｍがある。本実施形態では、ワンピース型の水着Ｍを用いる。水着のデザインは問わない。この図１では（ｂ）が水着Ｍの正面図を示しており、（ａ）は水着Ｍの省略した平面図を示している。この水着Ｍに装着するスカートの生地として、前垂れ１と、後垂れ２とを１枚ずつ用意し、かつ、横垂れ３を２枚用意する。そして、前垂れ１を水着Ｍの腹側に縫付け、後垂れ２を水着Ｍの背側に縫付け、２枚の横垂れ３はそれぞれ右と左の脇腹側に縫付ける。縫い付けは、生地の上端部のみを行う。これにより、４枚の垂れにより、ウエスト部の周回に沿った暖簾状のスカートが構成される。このとき、前垂れ１と横垂れ３の端部を互いに重ねるようにし、かつ、後垂れ２と横垂れ３の端部も互いに重ねるようにする。そのような適したサイズの生地を予め用意する。
【００１０】
そして、この暖簾状スカートを、本実施形態では１段だけでなく、上下方向に３段重ねて設ける。図中符号ｓは縫付け部を示しているが、胸部に近い１段目と、腰部の３段目と、その間の腹部の２段目との３箇所に上述した暖簾状スカートを縫付ける。このとき、各段のスカートの重ね順は、１段目が一番表、３段目が一番水着寄り、その間に２段目を配置する。そして、１段目の暖簾状スカートの下端部は２段目の暖簾状スカートの一部と重なるようにし、また、２段目の暖簾状スカートの下端部は３段目の暖簾状スカートの一部と重なるようにし、そして、３段目の暖簾状スカートの下端部は水着の下端までを隠すように配置する。そのような適したサイズの生地を予め用意する。
【００１１】
スカートの生地は、薄手で、柔らかく、伸縮性があり、通水性と通気性があり、乾きやすい素材の採用が好ましい。
【００１２】
このように構成すると、本実施形態による水着の正面図は、図２のように現れ、また、背面図は、図３のように現れる。ここで、図では、前垂れ１と後垂れ２よりも横垂れ３を短めに描いているが、これは各垂れの重なり具合を把握しやすいように描いたもので、必ずしも横垂れ３を短めに構成する必要はない。また、前垂れ１、後垂れ２および横垂れ３を、図１の方形に対し、図２、図３では台形に描いているが、これは縫いによる絞りを考慮して図示したものである。縫い目は、縫い方によって外観に表れないように隠すことができる。
【００１３】
以上説明した本実施形態によれば、複数の垂れの合間において水抵抗を逃がすので、水に入ってもスカートが容易に浮き上がらないようになり、かつ、隣り合う垂れの端部を重ねることにより、隙間をなくし、気になるウエスト部以下をしっかり覆うことができる。
【００１４】
また、スカートを複数の段で構成することにより、各段の暖簾の長さを短めにしつつ、水着の下端までを覆うことができ、１段の長い暖簾で構成した場合に比べ、水抵抗の影響を受けにくくなり、スカートの持ち上がりを更に抑えることができ、かつ、水着のデザインも洗練することができる。
【００１５】
さて、以上は水着に暖簾状スカートを縫付ける実施形態を説明したが、既存の水着に、本願のスカートだけを後から付けたいというニーズも考えられる。その場合、例えば腹巻き状の伸縮性のある環状基台に、上記の暖簾状スカートを縫付け、当該環状基台を水着の上から着るようにしてもよい。
【００１６】
ここで、本考案は、上記の実施形態に限られない。本考案は、前記スカートが、複数の垂れから成る暖簾状に構成され、かつ、隣り合う垂れの端部が互いに重なるように配置されていればよく、水着の種類やデザイン、スカート生地の素材やサイズ、暖簾状スカートの取り付け方法や取り付け位置、暖簾状スカートを設ける段数などは適宜設定すればよい。
【図面の簡単な説明】
【００１７】
【図１】本考案の一実施形態の構造を説明するための説明図。
【図２】本考案の一実施形態である水着の正面図。
【図３】図２に示す水着の背面図。
【符号の説明】
【００１８】
１  前垂れ
２  後垂れ
３  横垂れ
Ｍ  水着
【図１】
0003117783.tif 000003
【図２】
0003117783.tif 000004
【図３】
0003117783.tif 000005
(57)【要約】      （修正有）【課題】素手での食事の際に、食事中および食後に指に付着する食品の残渣や臭いによる不快感をなくすための指袋を提供する。【解決手段】素手での食事で使用する３本の指のみをカバーする指袋を提供する。使用後は脱着し破棄することで、容易に手指の汚れや臭いの問題を解決する。【選択図】図１
0003117763.tif 000002
【実用新案登録請求の範囲】
【請求項１】
中指、人差し指、親指だけをカバーすることを特徴とする３本指用の使い捨て指袋。
【考案の詳細な説明】
【技術分野】
【０００１】
本考案は、ポリエチレン、プラスチック等のシートを溶着した使い捨て手袋の形状に関するものである。
【背景技術】
【０００２】
いなり寿司、殻つきエビなど、素手で食べる食品の場合、手が汚れるため食事中や食後にナプキン等で手をふくか、手洗いによって汚れを落とす必要があった。
【考案の開示】
【考案が解決しようとする課題】
【０００３】
食事中に手をふく、または手洗いのために席を立つことは、食事を中断し、同席者にも不快感を与えることになる。何度も手をふくのは繁雑であり、時間的負担となる上、食後に手を洗ったとしても、料理によっては臭いが手指に残ることもあり、衛生的でない問題があった。
【課題を解決するための手段】
【０００４】
本考案は、素手での食事に使用する中指、人差し指、親指の３本の指だけを手袋状にカバーすることで、食事中に手をふいたり、手洗いをする必要をなくし、手指を衛生的に保つ上、使用後は容易に脱着、破棄することで食後に残る臭いの問題も解決している。
【考案の効果】
【０００５】
上述のように、素手での食事に最低限必要な３本の指だけをカバーすることで、食事中、食後の不快感をなくし、手指を清潔に保つ。
【０００６】
本考案は手全体を覆う通常の手袋と異なり、掌や手首まで覆うことを目的とせず、素手での食事に最低限必要な３本の指のみに装着することを特徴としているため、着脱が非常に容易であり、効率的に食事をすることができる。
【考案を実施するための最良の形態】
【０００７】
本考案は１枚で左右いずれの手にも対応できる。
【実施例１】
【０００８】
本考案では、袋の開口部からまず中指と人差し指をそれぞれに対応する指袋部に挿入し、その後親指を挿入する。３本の指を挿入後、手の甲の部分の生地を反対の手で手首方向に引きながら確実に装着を完了する。
【実施例２】
【０００９】
使用後の脱着時は、装着の際に手首方向に引っ張った手の甲の生地の部分を逆に指先方向に引っ張ることにより、容易に脱着でき、しかもその際に生地の表と裏が反転するため、脱着後も手や衣服を再汚染することなく、廃棄することができる。
【産業上の利用可能性】
【００１０】
本考案は、寿司のように素手でつまんだほうが容易に食しやすい料理や、殻つきエビのように素手を使わざるを得ない料理を食する場合に有効に利用できる。また、遊園地やファミリーレストランなどにおいて、箸やフォークの使用ができない子どもの場合や、アウトドアでの食事時などでも周囲を汚さず、衛生的に食事をすることができる。さらに日常の生活全般において、本考案の有効な使用場面は食事に限らず多岐にわたる。
【図面の簡単な説明】
【００１１】
【図１】本考案の３本指用指袋を右手に装着した図である。
【図２】本考案の３本指用指袋を左手に装着した図である。
【図３】本考案の３本指用指袋の平面図である。
【符号の説明】
【００１２】
１  中指の指袋
２  人差し指の指袋
３  親指の指袋
４  開口部
【図１】
0003117763.tif 000003
【図２】
0003117763.tif 000004
【図３】
0003117763.tif 000005
(57)【要約】【課題】  構造が簡易で取扱いが衛生的になされる女性用採尿体と女性用採尿器を提供すること。【解決手段】  女性用採尿体ａは、正面視で上に凸状の上方長円弧辺１と、上に凹状の下方短円弧辺２とから成る所要厚さの偏平な扇形面３を有し、該扇形面３の一側の端縁に剥離紙６で被覆された接着代５が配設される。  また、女性用採尿器Ａは、前記女性用採尿体ａを丸めて上方に受尿口８を開口し、下方に尿排出口９を開口した筒体７と、一般的な尿検査用紙コップｂとから成る。【選択図】  図２
0003117764.tif 000002
【実用新案登録請求の範囲】
【請求項１】
正面視で上に凸状の上方長円弧辺と、上に凹状の下方短円弧辺とから成る偏平な扇形面体であって、該扇形面の一側の端縁に剥離紙で被覆された接着代が配設されて成る女性用採尿体。
【請求項２】
請求項１記載の女性用採尿体の両端縁を接着代を介して接着した筒体と、尿検査用紙コップとから成る女性用採尿器。
【考案の詳細な説明】
【技術分野】
【０００１】
本考案は、病院や保健所等で尿検査に使用する女性用採尿器に関する。
【背景技術】
【０００２】
女性の尿道口を囲んで受尿し、チューブを介して蓄尿袋などの排尿部へ排出させる採尿器は、特開平５−１２３３５０号公報（特許文献１）、特開平１１−２０６８２５号公報（特許文献２）など提案されているが、構造が複雑でコスト高である。
これに対し簡易構造の採尿器に特開平７−２９４５１５号公報（特許文献３）が提案されているが、このものは三角円錐状の筒体２に採取孔３を開孔するものであるため、採尿後の尿滴下の点や別途のホルダーを要するなどで衛生面や取扱い上で問題がある。
【特許文献１】特開平５−１２３３５０号公報
【特許文献２】特開平１１−２０６８２５号公報
【特許文献３】特開平７−２９４５１５号公報
【考案の開示】
【考案が解決しようとする課題】
【０００３】
本考案は、構造が簡易で取扱いも衛生的な女性用採尿体と女性用採尿器を提供する。
【課題を解決するための手段】
【０００４】
本考案の請求項１に記載した女性用採尿体は、正面視で上に凸状の上方長円弧辺と、上に凹状の下方短円弧辺とから成る所要厚さの偏平な扇形面の形状で、該扇形面の何れか一側の端縁に剥離紙で被覆された接着代が配設されて成る。
請求項２に記載された女性用採尿器は、請求項１記載の女性用採尿体の両端縁を接着代を介して接着した筒体と、尿検査用紙コップとから成る。
【考案の効果】
【０００５】
本考案の女性用採尿器によれば、採尿部には従来からの尿検査用紙コップが用いられ、尿採取部は前記尿検査用紙コップに挿入されて下方に尿排出口を上方に受尿口を開口した筒体から成るため、採尿後は該筒体をトイレ内の汚物処理容器に廃棄できるから、衛生的に採尿できる効果がある。
このほか、筒体は採尿時に偏平な女性用採尿体から成形されるから、かさ張らないで保管できる効果がある。
【考案を実施するための最良の形態】
【０００６】
女性用採尿体は、水溶性の紙質が最適であり、その上方長円弧辺は水溶性の縁取り紙で縁取りが施され、その辺長は筒体としたときに尿道口を囲むに十分な長さであり、下方短円弧辺は筒体としたときに一般的な尿検査用紙コップに収まる辺長が選択される。
【実施例】
【０００７】
本考案を実施例により説明すると、女性用採尿体ａは図１に示すように、正面視で上に凸状の上方長円弧辺１と上に凹状の下方短円弧辺２の扇状で、かつ、右端縁は左端縁より長くして成る水溶性の偏平な扇形面３を形成し、上方長円弧辺１には水溶性の縁取り紙による縁取り４が施され、扇形面３の右側の端縁には、接着剤の塗布された接着代５に剥離紙６が被覆されて提供される。
このようにして成る女性用採尿体ａは、図２に示すように、剥離紙６が剥離された接着代５に他側の端縁が接着された筒体７とされ、上方に受尿口８が開口され下方に尿排出口９が開口されて、尿検査用紙コップｂと組み合わされた女性用採尿器Ａとして使用に供される。
【０００８】
このようにして成る女性用採尿器Ａは採尿の際に、筒体７の受尿口８が尿道口を囲むように押し当てられ、排尿は尿排出口９より尿検査用紙コップｂに採尿され、採尿後筒体７はトイレ内の汚物処理容器（図外）に廃棄され、採尿された尿検査用紙コップｂが検査窓口に提出される。
したがって、衛生的に採尿できる上、尿検査用紙コップｂの外部を汚すことなく提出できる。
なお、女性用採尿体ａは尿検査を依頼する被検者自身によって筒体７とされたり、予め検査側で筒体７として提供されるなどである。
【産業上の利用可能性】
【０００９】
本考案によれば、従来から使用されている尿検査用紙コップｂが有効に利用され、しかも、簡易構造の女性用採尿体ａによって衛生的に採尿できる上、尿検査用紙コップｂを汚すことなく検査窓口に提出できる点で医療器具業界及び医療関係で大いに利用される。
【図面の簡単な説明】
【００１０】
【図１】女性用採尿体ａの剥離紙６の一部を破断した正面図。
【図２】女性用採尿器Ａの分離状態の斜視図。
【符号の説明】
【００１１】
１：上方長円弧辺
２：下方短円弧辺
３：扇形面
４：縁取り
５：接着代
６：剥離紙
７：筒体
８：受尿口
９：尿排出口
ａ：女性用採尿体
ｂ：尿検査用紙コップ
Ａ：女性用採尿器
【図１】
0003117764.tif 000003
【図２】
0003117764.tif 000004
(57)【要約】【課題】風に吹かれても消えなくいつまえも火が燃えつづけるろうそくを提供する。【解決手段】棒状に形成される筒ろうの中心に有する心材が上端に点火の心出しとして突出し、筒ろうの下端に立てるための差し孔を形成したろうそくにおいて、ろうの筒形外周面に紙を巻き付けるとともに、紙の上端を心材の心出しを中心に撚り合わせ、心出しを中心とする撚り合わせ紙の点火部を形成した。【選択図】    図１
0003117511.tif 000002
【実用新案登録請求の範囲】
【請求項１】
棒状に形成される筒ろうの中心に有する心材が上端に点火の心出しとして突出し、筒ろうの下端に立てるための差し孔を形成したろうそくにおいて、ろうの筒形外周面に紙を巻き付けるとともに、紙の上端を心材の心出しを中心に撚り合わせ、心出しを中心とする撚り合わせ紙の点火部を形成したことを特徴とするろうそく。
【請求項２】
紙の表面に文字や模様を表したことを特徴とする請求項１記載のろうそく。
【考案の詳細な説明】
【技術分野】
【０００１】
この考案は、風によって火が消えないように工夫したろうそくに関する。
【背景技術】
【０００２】
ろうそくは、照明具の一つであるが、現在では、仏具として特に墓前に立てて使用されることが多い。その構造については、円筒状のろうの中心に心材を有するもので、上に突出する心出しに火を付けると周囲のろうが溶けて毛細管現象により心材に浸透して火が燃えつづける。しかし、墓前では風により火が吹き消されることが多く、その防止のために、風除けの屋根付きの燭台が用いられることがあるが、それでも少なくとも前面が開かれているため、完全な防止策とはなっていない。
【０００３】
また、ろうそくの構造に工夫して、空気の供給で心出しでの燃焼を促進するためろうそくの円筒状の中に通気のための縦穴を設けたり、心材を細い可燃性パイプにより形成する方法が用いられるが、十分に効果が得られていない。
【考案の開示】
【考案が解決しようとする課題】
【０００４】
この考案は、上記のような実情に鑑みて、風に吹かれても消えなくいつまえも火が燃えつづけるろうそくを提供することを課題とした。
【課題を解決するための手段】
【０００５】
上記の課題を解決するために、この考案は、棒状に形成される筒ろうの中心に有する心材が上端に点火の心出しとして突出し、筒ろうの下端に立てるための差し孔を形成したろうそくにおいて、ろうの筒形外周面に紙を巻き付けるとともに、紙の上端を心材の心出しを中心に撚り合わせ、心出しを中心とする撚り合わせ紙の点火部を形成したことを特徴とするろうそくを提供するものである。
【０００６】
ろうそくを上記のように構成したから、これを使用するときには、点火部が紙であるため燃えやすく、その燃焼熱により内部が加熱されることにより上端でろうが溶け、溶けたろうが毛細管現象として心だしと紙点火部ばかりでなく、上端周囲の巻き紙に浸透するため、火がろうそくの太さを心として大きく燃えるために消えにくい。また、風が吹いて火が消えそうになっても、ろうそくの風下となる面に火が付いたまま残るため（図３参照）、風が収まると同時に火が復帰する。
【０００７】
また、燃えてろうそくが短くなっても、心出しが紙で被覆されているため灰になることなく、炭化状態において火種を保つとともに心強度が保持され、周囲の紙の燃え殻を支持する作用を果たすため、風が吹いて火が消えそうになっても、火種がこの燃え殻に保たれることもあって、風が収まると同時に火が復帰する。
【考案の効果】
【０００８】
以上説明したように、この考案のろうそくによれば、風に吹かれてもいつまえも火が燃えつづけ、風では容易に火が消えないので、特に墓前に備えて使用するのに適するという優れた効果がある。
【考案を実施するための最良の形態】
【０００９】
図１および図３は一実施の形態を示したもので、そのろうそくＰは、筒ろう１の中心に心材３を設け、その上端が心出し５として上端に突出し、筒ろう１の外周面には紙７が巻き付けられ、紙７の上端部が心出し５を中心に撚り合わせることにより、心出し５を中心とする紙の点火部９が設けられる。
【００１０】
心材３は、溶けたろうが浸透するよう繊維素材により細いパイプ状に形成されたものが使用され、その下端部が差し孔１１となっている。そのため、パイプ孔を通して上端の心出し５の燃焼部分に燃焼に要する空気が送られることにより燃焼が促進される。
【００１１】
図３は中途まで燃えた時において突風に吹かれた状態を示したもので、上には火が燃える炎が消えているものの、風下には紙７に含浸しているろうからの揮発成分により炎１３が横に吹かれている。つまり火が消えていない。しかも、心出し５およびそれを中心とする紙の燃えかす７ａが火種となっており、たとえ炎１３が吹っ飛んだとしても着火する可能性をもっている。
【００１２】
図４は他の実施形態を示したもので、これによると、筒ろう１の周囲に紙７が巻かれてそれを被覆し、上端において心出し５を中心に紙の点火部９が形成されていることは同じであるが、紙７には「お寺の名前」（図示省略）と祈願としての「交通安全」の文字１５が記載されている。文字１５はこの他に様々となる。また、模様紙の貼り合わせにより模様を表すこともできる。
【００１３】
また、同図の場合、筒ろう１の中心に細い通気孔１７を設け、それに沿って糸状の心材３を付着させてある。
【図面の簡単な説明】
【００１４】
【図１】この考案のろうそくを一部切欠して示す正面図である。
【図２】図１のＡ−Ａの拡大断面図である。
【図３】同ろうそくの使用における着火状態を示す正面図である。
【図４】他の実施形態によるろうそくを一部切欠して示す正面図である。
【符号の説明】
【００１５】
１  筒ろう
３  心材
５  心出し
７  紙
９  点火部
１１  差し孔
【図１】
0003117511.tif 000003
【図２】
0003117511.tif 000004
【図３】
0003117511.tif 000005
【図４】
0003117511.tif 000006
(57)【要約】      （修正有）【課題】梱包封印の目的に貼り付けられている粘着テープを、開封の時、刃物や手指の爪先で剥がしているが、梱包内容物や手指を傷つけやすく剥がすのに手間が掛かる。粘着テープの端に、あらかじめ刃物や爪先を使わず指先で簡単に剥離しやすい様に非接着部を設ける。【解決手段】テープホルダーにセットされた粘着テープ１１をカッター台６のカッター刃７とカッター台ヘッド１２に支えられた粘着テープ端を定位置から移動させ、テープを延伸、再び元の位置に戻る工程で空気を粘着面に吹付け凹みを作り、定位置に戻り上部の偏芯ガイドバーにて圧着され非接着部を作る。【選択図】図１
0003117578.tif 000002
【実用新案登録請求の範囲】
【請求項１】
カッター刃下部の空気噴射口から空気を吹きつけ、粘着テープの粘着面に手指、
器械構造物が触れる事無く粘着面を一定の方向に曲げ凹ませるために、
空気圧を利用したテープカッター。
【請求項２】
粘着テープをカッター刃から持ち上げ任意の長さに延伸時、ガイドバーが持ち上がる機能を備えた偏芯機能をもつガイドバー有するテープカッター。
【請求項３】
剥離面の長短を自在に出来るように、カッター刃を本体から独立させ、移動できる機能を持ったカッター刃付きカッター台を有するテープカッター
【考案の詳細な説明】
【技術分野】
【０００１】  本考案は、粘着テープの粘着面に触れる事無く、剥離面を製造するため空気圧を利用したテープカッターに関するものである。
【背景技術】
【０００２】  ダンボール箱等の外面で梱包封印の目的に使われている粘着テープ、また箱内の小分け用のケース、袋類に粘着テープが貼られているが、開封のため刃物や指の爪先ではがしていた。
【考案の開示】
【考案が解決しようとする課題】
【０００３】  梱包封印用粘着テープに、あらかじめ剥離しやすい様に非接着部を設ける。
【課題を解決するための手段】
【０００４】  本考案は、粘着テープの非接着部作る場合、器械的構造物が粘着面に触れ粘着剤が構造物に付着し粘着テープのそり曲がる方向が不安定になり、剥離面が不完全になる。また、手指に水分、油性分が有る場合も安定した剥離面が出来ない。
上述の問題を解決する為、空気の吹付けと、偏芯ガイドバーを利用し粘着テープに触れることなく粘着テープ端の粘着面どうしを貼り合わせ、剥離面ができ、非接着面を形成する。
【考案の効果】
【０００５】  上述の様に、粘着面どうし貼り合わせ剥離面を作り、刃物や爪先を使わず指先で簡単に貼り付けられた粘着テープを剥がすことが出来る。
また粘着面に手指が触れることなく衛生的で安全で、しかも器械的構造物に粘着面が触れること無く粘着剤の除去の手間が省かれる。
【考案を実施するための最良の形態】
【０００６】  固定された本体部は、テープホルダーとガイドバーと偏芯ガイドバーで構成され可動部は空気嘖射口つきカッター刃台にて構成、架台は本体部と可動部を支え内部には空気圧発生装置を備える。
テープホルダーに接着面を下向きにセットされたカッター台を、定位置から移動させテープを延伸、再び元の位置に戻る工程で空気噴射口から空気を粘着面に吹付け凹みを作り、定位置に戻り偏芯ガイドバーにて圧着され剥離面が出来る。
剥離面を、従来のテープカッターの同様にカッター刃より指で持ち上げ任意の長さに延伸させ、カッター刃にて切断し使用する。
【実施例】
【０００７】  以下、添付図面に従って実施例を説明する。図２本体１のテープホルダー２に粘着面を下向きにセットされた粘着テープ１１を、図３ガイドバー３経由しカッター刃７、カッターヘッド１２で支えられた粘着テープをレール５で延伸させ、図４再び戻す工程で、架台１０内の空気圧発生装置からの空気を、空気噴射口８から吹きつけ凹ませ、図５偏芯ガイドバー４で圧着し、剥離面ができる。
【産業上の利用可能性】
【０００８】  ダンボール箱の梱包封印用粘着テープ、小袋の封印用粘着テープ等またスーパーマーケットコンビニエンスストアーで代金支払い後、単品商品には代金済の印として粘着テープが貼り付けられている。
また複数の商品についてはビニール類の袋に入れられ、封印目的で粘着テープが貼れている。刃物を使わず安全性を高め、剥離の時間短縮、少資源化にも役立ち産業用、家庭用に普及すると思われる。
【図面の簡単な説明】
【０００９】
【図１】  本考案の粘着テープ剥離面製造装置の実施例を示す斜視図である。
【図２】  前工程完了後の、定位置の斜視図である。
【図３】  粘着テープを延伸時の斜視図である。
【図４】  定位置に戻る工程で、空気を吹付けテープが凹んだ時の斜視図である。
【図５】  定位置に戻り、偏芯ガイドバーにて圧着された時の斜視図である。
【図６】  カッター刃とカッター台ヘッド、空気噴射口の一部の正面図、側面図である。
【図７】  図７−Ａは偏芯ガイドバー４で圧着された粘着テープを表す、図７−Ｂは従来のテープカッター同様手指でつまみテープの延伸時を表す、図７−Ｃは手指でつまみ下げて切断時を表す、圧着から切断までのイメージ図である。
【符号の説明】
【００１０】１  本体
２  テープホルダー
３  ガイドバー
４  偏芯ガイドバー
５  レール
６  カッター台
７  カッター刃
８  空気噴射口
９  空気導管
１０  架台、空気圧発生装置、
１１  粘着テープ
１２  カッター台ヘッド
【図１】
0003117578.tif 000003
【図２】
0003117578.tif 000004
【図３】
0003117578.tif 000005
【図４】
0003117578.tif 000006
【図５】
0003117578.tif 000007
【図６】
0003117578.tif 000008
【図７】
0003117578.tif 000009
【手続補正書】
【提出日】平成17年9月14日(2005.9.14)
【手続補正１】
【補正対象書類名】実用新案登録請求の範囲
【補正対象項目名】全文
【補正方法】変更
【補正の内容】
【実用新案登録請求の範囲】
【請求項１】
カッター刃下部の空気噴射口から空気を吹きつけ、粘着テープの粘着面に手指、器械構造物が触れることなく粘着面を一定の方向に曲げ凹ませるために空気圧を利用したテープカッター。
【請求項２】
粘着テープをカッター刃から持ち上げ任意の長さに延伸時、ガイドバーが持ち上がる機能を持つ、偏芯ガイドバーを有することを特徴とする請求項１に記載のテープカッター。
【請求項３】
剥離面の長短を自在に出来るように、カッター刃を本体から独立させ移動できる機能を持った、カッター刃付きカッター台を有することを特徴とする請求項１又は請求項２に記載のテープカッター。
(57)【要約】      （修正有）【課題】箕の中の物を袋等に入れ移す時点で、袋の外に零れ落ちるのを防止することが出来る箕の提供。【解決手段】箕の両方の縁の中央部に、一体成型化された支点台を設け、更に別に成形された広角棒を、スプリングと支点軸にて支点台に連結する。従ってレバー部を押えることにより、広角棒が動作し袋を開けておく。【選択図】図１
0003117579.tif 000002
【実用新案登録請求の範囲】
【請求項１】
箕の縁の両中央部に支点台を設け、広角棒をスプリングと支点軸で連結することに依り、広角棒が動作することを特徴とする、袋に入れ易い箕。
【考案の詳細な説明】
【技術分野】
【０００１】  本考案は、広角棒を支点台にスプリング、及び支点軸で連結させた箕に関するものである。
【背景技術】
【０００２】  従来の箕は、塵、農作物等を袋等に入れ移す時点で、袋の外に零れ易い。
【考案の開示】
【考案が解決しようとする課題】
【０００３】  従来の箕は、箕の中の物を袋等に入れ移す時、零れ易いため、袋を片手で広げ、尚一方の手で箕を持って作業をしなければならない不便さがある。従って本考案は、広角棒の作用で袋の口を広げることに依り、前述の欠点を解決しようとするものである。
【課題を解決するための手段】
【０００４】  本考案は、箕Ｍの両方の縁８の中央部を凸状に、プラスチック等適宣素材にて一体成型化したものを支点台１とする、且つ、曲がり６・支点台受２・レバー部５を付したものを、上記と同一素材にてＵ字形７に成型したものを、広角棒Ｋとする。従って支点台１と支点受２を支点軸３にて連結することで、広角棒Ｋが箕１に対して広がり、袋の口を広く開けることで問題を解決している。
【考案の効果】
【０００５】  よって本考案は、支点台を設けたことで、広角棒に曲げを付けることができた。従って箕を持った両手の親指で軽くレバー部を押えることで広角棒がより広く広がり、箕の中の物が袋の外に零れず容易に作業できる。又親指を放すとスプリングの力で広角棒が元に戻り、他の作業に支障を得えず便利である。
【考案の実施するための最良の形態】
【０００６】  本考案に係る袋に入れ易い箕は、図１と図２に示すように、箕Ｍを袋の口に挿入し、広角棒Ｋのレバー部５を親指で押えることで、支点軸３によって広角棒Ｋが広がり袋の口を開けておくことができる。
【０００７】  広角棒Ｋの曲がり６の位置と角度は、支点軸３と支点台１の高さに応じて決めればよい。
【０００８】  広角棒ＫをＵ字形７に成形することで強度を増し、しかも使用時以外は、スプリング４の力により、箕Ｍの縁８に密着することができる。又広角棒Ｋの先端に軟質のゴム等を、スベリ止めとして取り付けることで、より効果がでる。
【図面の簡単な説明】
【０００９】
【図１】本考案の袋に入れ易い箕の斜視図である。
【図２】本考案の側面図である。
【図３】本考案の上面図である。
【図４】本考案に係る広角棒を箕に取り付けたところの、図３に示すＡ−Ａ′の断面図である。
【符号の説明】
【００１０】Ｍ    箕
Ｋ    広角棒
１    支点台
２    支点台受
３    支点軸
４    スプリング
５    レバー部
６    曲がり
７    Ｕ字形
８    縁
９    底
１０  孔
【図１】
0003117579.tif 000003
【図２】
0003117579.tif 000004
【図３】
0003117579.tif 000005
【図４】
0003117579.tif 000006
(57)【要約】      （修正有）【課題】食用油の劣化を防止することで、資源の有効利用を図る事のできる装置を提供する。【解決手段】容器底部２に食用油の劣化を防止する特殊天然石３を、がさつかない程度に敷き詰め、容器蓋部１を溶接し固定する。容器ごと調理鍋に入れて使用する。【効果】装置を入れることで、劣化の主要因である食用油の酸素を取り除き、通常使用より４〜７倍の延命効果がでる。【選択図】図１
0003117576.tif 000002
【実用新案登録請求の範囲】
【請求項１】
揚げ物を調理する際に用いる食用油に、ナノ細孔を有し遠赤外線、マイナスイオン効果がある特殊天然石を入れることで食用油の劣化防止を図る装置。
【考案の詳細な説明】
【技術分野】
【０００１】  本考案は食用油の劣化防止を図る装置に関する。
【技術背景】
【０００２】  従来、揚げ物を調理する際に用いる食用油は調理する回数が増えるほど劣化し、食材本来の仕上がり状態を保つには、古い油は破棄し、新しい油に交換するしかなかった。
【０００３】  劣化した食用油は凝固剤で固めて破棄するしかなく、経費的にも環境的にも負担がかかっている。
【考案の開示】
【考案が解決しようとする課題】
【０００４】  揚げ物を調理する際に用いる食用油の劣化を防止することが目的である。【０００５】  食用油の劣化を防止することで、使用油、廃棄油、双方の削減が図れる。
【問題を解決するための手段】
【０００６】  本考案は、食用油の劣化の主要因とされる酸化劣化に着目した。油は酸化されると透明感が無くなり、汚れ変色していく、それは大気中の酸素が食用油に取り込まれることで起こることが判明した。そこで、食用油から酸素を除去する効力のある特殊天然石を網状のステンレス容器に入れ、容器ごと調理鍋に入れ、使用することとした。
【考案の効果】
【０００７】  網状のステンレス容器に入った特殊天然石を調理鍋に入れるだけで、油の劣化主要因である酸化劣化を防止することができ、従来の食用油の寿命を４〜７倍の延命効果が得られる。これにより、食用油使用量の削減と、廃棄油の削減が同時に見込め、コスト面、環境面、双方に貢献できる。
【０００８】  特殊天然石の効果は半永久的に持続するため、一度調理鍋に入れれば交換の手間も省け、新油使用時に再利用できるのでコストの削減も実現できる。
【考案を実施するための最良の形態】
【０００９】  ステンレス製の直径２ｍｍの穴が網状にあいた、縦９０ｍｍ，横５０ｍｍ，高さ２０ｍｍ程度の箱状の容器に、食用油の劣化を防止する特殊天然石をがさつかない程度まで敷き詰め、蓋を溶接し固定する。【００１０】  コンパクトなサイズにする事で、調理鍋の大きさや油の使用量に合わせて、鍋に入れる装置の数を調整できるので、利便性が図れる。
【産業上の利用可能性】
【００１１】  本考案の食用油の劣化防止装置は、家庭から業務用まで幅広く利用でき、食用油の使用量と廃棄油の削減が同時に図れ、コスト面、環境面に貢献できるので、利用の拡大が望める。
【図面の簡単な説明】
【００１２】
【図１】  本考案の実施形態を示す食用油の劣化防止装置の全系図
【図２】  本考案の蓋板開放時を示す食用油の劣化防止装置の全系図
【符号の説明】
【００１３】      １    網状ステンレス製蓋部
２    網状ステンレス製底部
３    食用油劣化防止効果のある特殊天然石
【図１】
0003117576.tif 000003
【図２】
0003117576.tif 000004
【手続補正書】
【提出日】平成17年10月18日(2005.10.18)
【手続補正２】
【補正対象書類名】実用新案登録請求の範囲
【補正対象項目名】全文
【補正方法】変更
【補正の内容】
【実用新案登録請求の範囲】
【請求項１】
穴が網状にあいた箱状の容器に、食用油の劣化を防止する天然石を敷き詰め、蓋を溶接し固定して成ることを、特徴とする食用油の劣化防止装置。